(57)【特許請求の範囲】
【請求項１】
基準クロック用の入力端子を有する、特に移動無線システム用のクロック発生ユニットを含み、
前記クロック発生ユニットは前記入力端子で受信し、複数の基準クロックのうちの１つを処理し、かつ所望の動作クロックの組を提供するように構成され、
前記クロック発生ユニットは前記基準クロックを変換して、複数の動作クロックを発生するための位相同期ループを有する電気回路を含み、
前記位相同期ループは、分周器を有するとともに更に異なる基準クロック用に設けられた複数の回路部を有し、前記回路部のうちの１つが前記入力端子に与えられた前記基準クロックに応じて選択されるように構成された電気通信装置であって、
前記位相同期ループは、前記異なる基準クロックのどんな基準クロックが前記入力端子に与えられても前記クロック発生ユニットによって提供されるべき前記所望の動作クロックの組を前記複数の動作クロックが含むように構成され、
前記クロック発生ユニットは、前記入力端子に与えられた前記基準クロックに応じて、前記位相同期ループによって発生された前記複数の動作クロックの中から、前記クロック発生ユニットによって提供されるべき前記所望の動作クロックの組を選択する選択素子を更に備えていることを特徴とする電気通信装置。
【請求項２】
前記分周器が、特に前記位相同期ループと集積化された複数の分周器モジュールを有し、前記分周器モジュールのそれぞれは、前記回路部の一つに対して設けられ、これら分周器モジュールによって発生され得る動作クロックのうちの数個が同じになるように構成されていることを特徴とする請求項１記載の、クロック発生ユニットを含む電気通信装置。
【請求項３】
前記位相同期ループが固定の分周比を有することを特徴とする請求項１記載の、クロック発生ユニットを含む電気通信装置。
【請求項４】
前記回路部は、前記基準クロックに応じて構成され得ることを特徴とする請求項１乃至３のいずれかに記載の、クロック発生ユニットを含む電気通信装置。
【請求項５】
前記回路部は、前記位相同期ループの入力側にあり、かつ前記位相同期ループの同期パターンを決定するそれぞれの基準クロックに合わせられることを特徴とする請求項１乃至４のいずれかに記載の、クロック発生ユニットを含む電気通信装置。
【請求項６】
前記回路部は、少なくとも同じ動作クロックを提供するために、特に５つの等しい動作クロックを提供するために構成されていることを特徴とする請求項１乃至５のいずれかに記載の、クロック発生ユニットを含む電気通信装置。
【請求項７】
前記提供された動作クロックは、選択レジスタによって選択され得ることを特徴とする請求項１乃至６のいずれかに記載の、クロック発生ユニットを含む電気通信装置。
【請求項８】
前記動作クロックから、特にプログラム可能なソフトウェア機能によって基本単位クロックが選択され得ることを特徴とする請求項１乃至７のいずれかに記載の、クロック発生ユニットを含む電気通信装置。
【請求項９】
前記電気回路は、特定の基準クロックに割り当てられた回路部の選択が、位相同期ループが動作に入る前に行われるように設計されていることを特徴とする請求項１乃至８のいずれかに記載の、クロック発生ユニットを含む電気通信装置。
【請求項１０】
クロック発生ユニットはマイクロチップと集積化されており、前記回路部の１つが前記マイクロチップのレイアウトによって選択されることを特徴とする請求項１乃至９のいずれかに記載の、クロック発生ユニットを含む電気通信装置。
【請求項１１】
特定の基準クロックに割り当てられた前記回路部を選択するために、接続ピンが選択信号を転送するように設けられていることを特徴とする請求項１乃至１０のいずれかに記載の、クロック発生ユニットを含む電気通信装置。
【請求項１２】
一つの基準クロックに割り当てられた回路部の選択は、前記電気回路と一体化されたソフトウェアを介して実行されることを特徴とする請求項１乃至１１のいずれかに記載の、クロック発生ユニットを含む電気通信装置。
【請求項１３】
書き換え可能なレジスタエントリを有するレジスタが設けられ、このレジスタによって基準クロックの選択が確定されることを特徴とする請求項１２記載の、クロック発生ユニットを含む電気通信装置。
【請求項１４】
前記電気回路は、動作に入る時に前記位相同期ループに接続される遅い基準スタートクロック用の更なる入力端子を有していることを特徴とする請求項１２または１３記載の、クロック発生ユニットを含む電気通信装置。
【請求項１５】
基準クロック用の入力端子を有し、
前記入力端子で受信し、複数の基準クロックのうちの１つを処理し、かつ所望の動作クロックの組を提供するように構成され、
前記基準クロックを変換して、複数の動作クロックを発生するための位相同期ループを有する電気回路を含み、
前記位相同期ループは、分周器を有するとともに更に異なる基準クロック用に設けられた複数の回路部を有し、前記回路部のうちの１つが前記入力端子に与えられた前記基準クロックに応じて選択されるように構成された、特に移動無線システム用のクロック発生ユニットであって、
前記位相同期ループは、前記異なる基準クロックのどんな基準クロックが前記入力端子に与えられても前記所望の動作クロックの組を前記複数の動作クロックが含むように構成され、
前記入力端子に与えられた前記基準クロックに応じて、前記位相同期ループによって発生された前記複数の動作クロックの中から、前記所望の動作クロックの組を選択する選択素子を更に備えていることを特徴とするクロック発生ユニット。
【請求項１６】
基準クロックを受信し、複数の基準クロックのうちの１つを処理して所望の動作クロックの組を提供するように構成され、前記基準クロックを変換して、複数の動作クロックを発生するための位相同期ループを有する電気回路を含み、前記位相同期ループは分周器を有するとともに更に異なる基準クロック用に設けられた複数の回路部を有し、前記回路部のうちの１つが前記基準クロックに応じて選択されるように構成されたクロック発生ユニットにおいて、特に移動無線システム用の動作クロックを発生させる方法であって、
前記電気回路は前記基準クロックのうちの１つに少なくとも１度合わせられ、
前記位相同期ループに前記複数の基準クロックのうちの１つを供給して、前記所望の動作クロックの組を含む前記複数の動作クロックを発生させ、
前記基準クロックに応じて、前記複数の動作クロックの中から、前記所望の動作クロックの組を選択することを特徴とする方法。
【請求項１７】
前記位相同期ループを動作状態にする前に、前記回路部は前記基準クロックに合わせられることを特徴とする、請求項１６記載の方法。
【請求項１８】
前記電気回路には接続ピンによって選択信号が供給され、この選択信号によって同調が行われることを特徴とする請求項１６または１７記載の方法。
【請求項１９】
前記基準クロックは、選択レジスタに少なくとも一度記憶され、この記憶された基準クロックに基づいて合わせが行われることを特徴とする請求項１６乃至１８のいずれかに記載の方法。
【請求項２０】
少なくとも前記位相同期ループが動作に入る時に、前記位相同期ループには遅い基準スタートクロックが供給され、その後、基準クロックへの合わせが行われ、前記位相同期ループには前記基準クロックが供給されることを特徴とする請求項１６乃至１９のいずれかに記載の方法。
【発明の詳細な説明】
【０００１】
【発明の属する技術分野】
本発明は、クロック発生ユニットを含む電気通信装置に関し、特に基準クロック用の入力を有する移動無線システムであって、且つこの基準クロックを動作クロックに変換するための位相同期ループを有する電気回路を含んでいる移動無線システム用の電気通信装置に関する。本発明はまた、クロック発生ユニット自体にも関する。
【０００２】
【従来の技術】
例えば、移動体における移動無線システムのための通信装置には、通常クロック発生ユニットが挿入され、そのクロック発生ユニットに供給される基準クロックに基づいて多くの動作クロックが提供される。上記移動体の異なる機能ユニットが、上記動作クロックによって駆動される。この時、作動状態に応じて、異なる機能ユニットには異なる動作クロックが供給される。エネルギー節約のため、機能ユニットには、例えばスタンバイモードで、低周波の動作クロックが供給され、他方無線モードで、高周波の動作クロックが供給される。
【０００３】
クロック発生ユニット（ＣＧＵ）の主要な構成要素は、基準クロックに基づいて複数の動作クロックを提供する、所謂位相同期ループ（ＰＬＬ）である。この時、個々の周波数の動作クロックは、基準クロックの周波数に対し固定の駆動比を有する。プログラム可能な位相同期ループの動作が、例えば、米国特許明細書第５，３４９，５４４号に記載されている。移動無線システムにおける動作クロックの発生に位相同期ループを使用することは、例えば、国際公表第９７／２１２７８号公報から公知である。
【０００４】
可能な限り最も急峻な立ち上がりおよび立ち下がりエッジを有する、できるだけ均一なクロック信号を発生させるために、クロック発生ユニットと位相同期ループは、基準クロックに合わせられる。基準クロックは、固定の基準クロック周波数を有する外部のクロック発生器により供給される。米国特許明細書第５，３４９，５４４号公報および国際公表第９７／２１２７８号公報から公知の位相同期ループには、固定の基準クロックが供給される。
【０００５】
移動無線システムには、異なる基準クロックに基づいた異なる標準が存在する。
主要な標準無線システムは、例えば、ＧＳＭ  （Ｇｌｏｂａｌ  Ｓｙｓｔｅｍ  ｆｏｒ  Ｍｏｂｉｌｅ  ｃｏｍｍｕｎｉｃａｔｉｏｎ）システム、ＴＤＭＡ  （Ｔｉｍｅ−Ｄｉｖｉｓｉｏｎ  Ｍｕｌｔｉｐｌｅ  Ａｃｃｅｓｓ）システム、および、ＣＤＭＡ  （Ｃｏｄｅ−Ｄｉｖｉｓｉｏｎ  Ｍｕｌｔｉｐｌｅ  Ａｃｃｅｓｓ）システムである。これらのシステムは、多重システム、特に夫々のシステムで決定され１つの時間フレーム内に複数の時間ウインドウが設けられ、これらの時間ウインドウで異なるデータが転送される時間多重システムであるという点で共通性を有している。時間フレームは複数の基本単位からなり、基本単位クロックは、移動無線システムの基準クロックから誘導される。異なるシステムの基本単位クロックは、互いに異なっている。ＧＳＭシステムには１３ＭＨｚの基準クロックが用いられ、ＴＤＭＡシステムには１９．４４ＭＨｚの基準クロックが用いられ、ＣＤＭＡシステムには１９．６６ＭＨｚの基準クロックが用いられる。
【０００６】
【発明が解決しようとする課題】
基準クロックが異なるために、クロック発生ユニットは、各移動無線システムに固有に構成されることになる。クロック発生ユニットは、一般に、マイクロチップやＩＣ上に一体化されるので、１つのシステムから他への転換は、チップレイアウトの高くつく変更をもってのみ可能であり、それ故、非常にコスト高になる。
【０００７】
本発明の目的は、クロック発生ユニットを含む電気通信装置および動作クロック発生方法であって、様々な移動無線システムに組み入れることが可能なものを提供することである。
【０００８】
【課題を解決するための手段】
クロック発生ユニットに関する目的を達成するために、本発明によるクロック発生ユニットは、基準クロック用の入力端子を有しており、且つこの基準クロックを動作クロックに変えるための位相同期ループを有する電気回路を備えている。上記電気回路は、異なる基準クロック用の回路部を有しており、その回路部のうち、特定の基準クロックに対応する１つが選択される。
【０００９】
本発明は、このように、様々な移動無線システムにおいて使用されるための電気通信装置またはクロック発生ユニットの構成を夫々提供する。これは、夫々の移動無線システム用に構成された互いに交換かつ選択可能な回路部をクロック発生ユニットに内蔵させることで達成される。クロック発生ユニットがどの移動無線システムのために使用されるかに応じて、その移動無線システムに対応する回路部が選択される。このようにして、特定の、或いは、異なる複数の動作クロックが、夫々の回路部によって選択される。
【００１０】
本発明は、通信装置（移動体）において使用するための１つだけの回路部しか必要としないクロック発生ユニット内に異なる回路部を設ける方が、各移動無線システムに専用のクロック発生ユニットを設けるよりも、コストの面で遥かに有利であるという考えに基づいている。異なる回路部を有するクロック発生ユニットは、個々の移動無線システムにおける容量の変動、或いは、要求の変化に対し特に有利であり、そのクロック発生ユニットと一体化したマイクロチップは、他の移動無線システムに、多大な出費を伴うこと無く挿入可能である。
【００１１】
好ましい実施形態においては、各回路部が、特に位相同期ループ内に一体化された分周器モジュールを有する。この分周器モジュールの助けによって、各回路部に供給された基準クロックが複数の動作クロックに変えられる。分周器モジュールは、それによって発生させられる動作クロックのうちの少なくとも数個が実質的に同じであるように構成される。
【００１２】
これに関し、移動体内の個々の構成要素が特定の動作クロックに夫々合わせられ、また、それ故、その移動体が使用される移動無線システムと無関係に、これらの構成要素がそれ用に構成されているこれらの動作クロックを提供することが非常に効率的であることが想定される。このことは、クロック発生ユニットのみを移動無線システムに適合させれば、残りの構成要素は、本質的に、変更無しに、なお使用できるという決定的な利点を有している。
【００１３】
基準クロックが選択されると、同時に、この基準クロックに対応する分周器モジュールが、この基準クロック用に特別に構成された回路部の一部として選択される。夫々の分周器モジュールは、本質的に、その調整された分周比が異なっている。複数の分周器モジュールを構成することによって、クロック発生ユニットの出力の少なくとも数個に、選択された基準クロックとは無関係に、いつも同じ動作クロックを供給することができる。
【００１４】
別の実施形態において好ましくは、位相同期ループが、基準クロックとは無関係に、固定された分周比を有し、適当な動作クロックが、選択素子によって選択される。このような選択は、通常、レジスタビットの組および結合されたゲート論理によって起こる。回路部は、好ましくは、所望の動作クロックが発生されるように構成、特にプログラムされ得る。この目的のために、回路部には、例えば、夫々の構成情報が供給される。特にここでは、それによって、如何なる基準クロックからでも、分数分周比を以って、如何なる動作クロックをも発生させ得る分数分周器が設けられる。このような分数分割器は、特に動作クロックを微調整するために用いられる。
【００１５】
有利には、位相同期ループは、その入力側に、基準クロックに合わせられる回路要素の異なる組を有する。これらの回路要素は、選択的に活性化されることができ、特に位相同期ループのロック動作を決定する。このことは、位相同期ループが、スイッチオン時、非常に速く、且つ妨害無しに、ロックオンして、それが、非常に短い期間後に既に信頼性良く動作するという点で有利である。
【００１６】
１つの選択として、位相同期ループは、複数の基準クロックを処理するのに適したスイッチ要素の特別な組を有する。周波数１９．４４ＭＨｚおよび１９．６６ＭＨｚにおいて、このことは、そのスイッチ要素の組が中間周波数に合わせられることで好ましく達成される。これは、複数の組を設けなければならない必要性を排除する。
【００１７】
好ましくは、少なくとも１つの実質的に均一な動作クロックを提供するための、特に５つの実質的に同じ動作クロックを提供するための回路部は、クロック発生ユニットの下流に接続された回路要素が、様々な動作モードで、即ち、様々な動作クロックで以って駆動され得るように構成される。
【００１８】
どの動作クロックを使用するかの選択が、好ましくは、例えば、プロセッサによって駆動される選択レジスタによってなされる。その選択レジスタには、移動体の様々な動作モードのための５つの異なった構成要素に適した動作クロックが記憶される。これは、特にエネルギー消費を減らすために行われる。
【００１９】
特に好ましい実施形態においては、基本単位クロックが、特にソフトウェア機能によって提供された動作クロックから選択され得る。これは、その基本単位クロックを確定できるという点で有利である。このことは、適当なクロックを、その基本単位クロックとして選択できる可能性を開く。
【００２０】
好ましくは、特別な回路部の選択が、位相同期ループが動作状態に入る前になされ、従って、基準クロックに合わせられた回路部は、スイッチオン時に既に活性化されており、その結果、位相同期ループが素早く且つ信頼性良く動作する。
【００２１】
通常の実施形態においては、特別の基準クロックに対応する回路部が、クロック発生ユニットが一体化された（ＩＣ素子）マイクロチップのレイアウトによって既に選択されている。この構成は、そのマイクロチップが製造された時に、先ず、異なる回路部が設けられ、選択が、工程の遅い段階でなされるという考えに基づいている。その選択のためには、一般に、そのマイクロチップに含まれる半導体モジュールが個々にスイッチされることで充分である。このことは、製造工程の遅い段階で、例えば、特定のマスクを選択することによって、異なる移動無線システムを設計できる可能性を生み出す。完全に新しく設計することと比較して、１つのみが遅い製造段階で特別に構成される結果物理的に活性化される、より多くの回路部を設ける場合でさえ、これは、一方では、製造時の相当な柔軟性を生み、他方では、コスト的に相当に効果的である。
【００２２】
回路部の選択は、好ましくは、ハードウェア要素、特に接続ピンによって転送される選択信号の助けでなされる。このことは、クロック発生ユニットが、例えば、それが移動体に搭載される前に、その移動体が使用される移動無線システムに合わせられることを有利に可能とする。信号動作が、このことに充分であるので、接続ピンは、移動体の動作およびその後の他の機能に使える。
【００２３】
別の構成では、選択は、好ましくは、ソフトウェア機能によってなされる。この目的のために、選択された基準クロックを記憶する書き換え可能なレジスタエントリーを有するレジスタが設けられる。これは、かなり単純で且つ可逆的な選択を可能とする。
【００２４】
ソフトウェア機能によって選択がなされた時、クロック発生ユニットが、そこに記憶された選択を抽出できる前に、先ず活性化されるので、それは、クロック発生ユニットの回路構成が、別の遅い基準スタートクロックで以って起動された時に、非常に有用である。複数の回路部が異なる基準クロック用に構成されているので、遅い基準クロック用に設計された回路部が、高い基準クロックを供給された時にダメージを受ける可能性が有る。上記回路構成が、明らかにより遅い基準スタートクロックで以って起動されるので、そのようなダメージは不可能である。基準スタートクロックは、例えば、同時に内部クロックを駆動する特別なクロック発生器によって提供される。それは、好ましくは、ｋＨｚ範囲のクロック周波数、特に３２ｋＨｚのクロック周波数を提供する。
【００２５】
回路部がダメージを受けるのを避けるべく、好ましくは、高い基準クロック用に構成された回路部が、位相同期ループが動作状態に入る時に、きちんと選択される。もし、結局、より低いクロック周波数を有する基準クロックが、ソフトウェア機能によって選択されると、位相同期ループがスイッチオンされた時に、そのより低いクロック周波数用に構成された回路部に切り替えられる。
【００２６】
有利には、そのようなクロック発生ユニットは、例えば、チップセットの枠組内において、移動無線システムを組み立てるために設けられ得る集積回路の一部を構成する。
【００２７】
方法に関する目的を達成するために、本発明によれば、回路構成と一体化された位相同期ループには、入力側で基準クロックが供給され、その位相同期ループは、出力側で動作クロックを提供する。上記回路構成は、異なる基準クロック用に構成され、上記回路構成は、少なくとも、この基準クロックのうちの１つに一度合わせられる。
【００２８】
ここでの本質的な考えは、特定の基準クロックへの合わせが有ること、即ち、上記回路構成に搭載された、異なる基準クロックに合わせられる特別な回路部が選択されることである。
【００２９】
方法の更に有利な実施形態は、従属クレームから教示されるであろう。特にクロック発生ユニットの観点で構成された好ましい実施形態および特別な利点は、基本的に、方法に転用可能である。
【００３０】
本発明のこれらおよび他の観点は、以下に説明する実施の形態から明白であり、且つ実施の形態を参照して明らかにされるであろう。
【００３１】
【発明の実施の形態】
以下、本発明の実施の形態を説明する。
【００３２】
図１によれば、クロック発生ユニット２は、位相同期ループ４と、選択レジスタ６と、スイッチ素子８と、基準クロックｆＲ用の入力端子１０とを備える。位相同期ループ４と選択レジスタ６とスイッチ素子８とは、クロック発生ユニット２の回路構成の一部を構成する。このユニット２には、スイッチ素子８に対し、および、特に選択レジスタ６の一部を構成する選択素子１４に対し送られる選択信号１２が供給され得る。
【００３３】
その選択信号１２を介し、クロック発生ユニット２が、どの基準クロックｆＲ用に構成されるかが決定される。図１によれば、これは、一方では、選択信号１２に依存して、スイッチ素子８が、入力端子１０を、回路部１６ａ、１６ｂの第１または第２の組に選択的に接続することで行われる。その組１６ａ、１６ｂは、入力側で位相同期ループ４と一体化され、それの同期パターンを決定する。これらは、異なる基準クロックに合わせられ、各基準クロックｆＲが選択された時に、可能な限り最も早いロックオンを提供する。組１６ａは、例えば、ＧＳＭシステム用の基準周波数１３ＭＨｚに合わせられ、組１６ｂは、特別な組として、ＴＤＭＡおよびＣＤＭＡ両システム用の約１９．５ＭＨｚに合わせられる。その特別な組１６ｂは、印加された基準周波数ｆＲに関わらず、位相同期ループ４の充分に良好なロックオンパターンが確保されるように構成される。後者２つで以って、別々の組を有することも可能である。回路素子８は、基準クロックｆＲを、１つの組１６ａまたは１６ｂにのみ夫々印加する。そのクロックは、位相同期ループ４内のサブレンジ４ａにおいて更に処理される。組１６ａ、１６ｂは、詳細には、基準クロックｆＲで以って動作する回路部に属している。サブレンジ４ａは、好ましくは、これによって、動作クロック発生のための微調整をなす分数分周器を有する。
分数分周器は、その時、基準周波数ｆＲに依存して構成され、基準周波数ｆＲが選択されたとしても、正確に所望の動作クロックを提供する。
【００３４】
位相同期ループ４は、出力側で、その周波数が、基準クロックｆＲの周波数に対し固定した分周比を有する複数の動作クロックを提供する。これらは、特に分周比６／３、５／３、３／２、４／３、３／３、２／３、１／２、１／３、および、１／４である。選択レジスタ６は、これらの動作クロックから適当な動作クロックを集める。この目的のために、選択レジスタ６は、好ましくは、例えば、マン−マシンインタフェース４２用、種々のプロセッサ３２、３４用、および、タイムベースユニット３６用（図３を対照）の適当な動作クロックの選択を行う複数のサブレジスタ６ａ、６ｂ、６ｃに更に分割される。
【００３５】
図１の実施形態の例によれば、位相同期ループ４は、その出力を通じて、入力に印加された基準クロックｆＲに対し固定した分周比を供給する。その固定した分周比の結果、異なる基準クロックｆＲ毎に異なる動作クロックが位相同期ループの個々の出力上に提供される。１３ＭＨｚの基準クロックｆＲの場合、分周比６／３で、出力上に２６ＭＨｚの動作クロックが提供され、一方、１９．４４ＭＨｚの基準クロックの場合には、同じ出力上に３８．８８ＭＨｚの動作クロックが提供される。クロック発生ユニット２の下流に接続された構成要素に適当な動作クロックを供給すべく、選択素子１４が設けられる。この素子は、例えば、どんな基準クロックｆＲでどんな出力上にどんな動作クロックが提供されるかの情報を記憶するメモリとして構成される。そこに記憶されるのは、例えば、１３ＭＨｚの基準クロックｆＲを用いて、６／３の分周比で、２６ＭＨｚの動作クロックが出力を通じて回収できるというものである。一方、１９．４４ＭＨｚの基準クロックｆＲを用いると、４／３の出力上に２５．９２ＭＨｚのほぼ同じ動作クロックが提供される。選択素子１４は、この情報を副レジスタ６ａ〜６ｃに転送し、従って、これらは、例えば、２６ＭＨｚの動作クロックが回収されるべき時に、正しい出力にアクセスすることができる。
【００３６】
位相同期ループ４の異なる分周比が、異なる移動無線システムの基準クロックｆＲに同調され、従って、複数の提供される動作クロックが、印加される基準クロックｆＲと無関係にほぼ同じ値を有する。例としての下記の表から分かるように、５つのほぼ同じクロック周波数の総体が、異なる移動無線システムに対し設定され得る。これらは、動作クロック周波数２６ＭＨｚ、１９．５ＭＨｚ、１３ＭＨｚ、６．５ＭＨｚ、および、４．３ＭＨｚである。
【００３７】
【表１】
0004780258.tif 000002
選択信号１２を、クロック発生ユニット２の回路構成に転送するためには、様々な可能性が有る。１つの可能性は、選択信号１２が、ハードウェア端末、例えば、接続ピン１７（図３に示されている）によって転送されることである。接続ピン１７には、その時、例えば、入力１０を回路部１６ａ、１６ｂの組に不可逆的に接続するスイッチ素子８に通じる選択信号１２が供給される。同時に、好ましくは、基準クロックｆＲについての情報も、メモリとして構成された選択素子１４に不可逆的に書き込まれる。クロック発生ユニット２は、それ故、信号選択によって、一定の基準クロックｆＲに合わせられる。この合わせることは、不可逆的である必要は無い。図示されていないもう１つの可能性は、例えば、異なる基準クロックｆＲを接続するための、より多くの接続ピンを設けることである。その接続ピンのどれが接続されるかに応じて、回路部１６ａ、１６ｂの２つの組の何れかに基準クロックｆＲが供給される。
【００３８】
選択は、好ましくは、位相同期ループ４が動作状態に入る前になされ、従って、スイッチオン時、既に、正しい回路部が選択される。移動体の数個の動作モード、例えば、スタンバイモードにおいて、クロック発生ユニット２は、リセット信号２２で以って合わせることが解除されるので、選択信号の選択は、好ましくは、そのリセットが解かれる前になされる。
【００３９】
ハードウェアの実施形態の別の選択として、これによって選択信号１２が転送されるソフトウェア機能が設けられる。この目的のために、図２によるメモリ１８が設けられ、そこに、選択された基準クロックについての情報が記憶される。この情報は上書き可能である。
【００４０】
図２は、クロック発生ユニット２の別の実施形態を示している。図１に示したクロック発生ユニット２と違って、選択レジスタ６は、クロック発生ユニット２と一体化されていない。図１に示した個々の回路部１６ａ、１６ｂの組は、スイッチ要素１６によって象徴されている。
【００４１】
図２によるメモリ１８は、クロック発生ユニット２の外部に構成されているが、その一部を構成しても良い。選択情報がメモリ１８に記憶されるので、その情報は、移動体が動作状態に入るまで、クロック発生ユニット２によって回収されない。構成要素が、高過ぎるクロック周波数を供給されて、ダメージを受けることを回避すべく、クロック発生ユニット２に、スイッチオン時、基準クロックｆＲと比べてより低い周波数を有する基準スタートクロックｆＡが供給される。この目的のために、第２の入力端子２３が設けられる。好ましくは、ｋＨｚ範囲のクロック周波数が、この目的のために選択され、それは、移動体の内部クロック用に提供される。移動体がオンされるや否や、選択情報がメモリ１８から回収され、選択信号１２が、選択された基準クロックｆＲに対応する特別な回路部の選択を提供する。図２に示した実施形態の例では、これらの特別な回路部は、分周器モジュール２０ａ、２０ｂである。
【００４２】
或いは、高い基準クロックｆＲ用に設計された夫々の回路部が、クロック発生ユニット２が動作状態に入る時に活性化される基本調整が設けられる。もし、より低い基準クロックｆＲが選択されれば、このクロックに関連した回路部は、そのスイッチオン後まで活性化されないであろう。選択信号１２は、スイッチ要素１６の組と分周器モジュール２０ａ、２０ｂとの間に搭載された位相同期ループ４のサブレンジ４ａに転送される。
【００４３】
転送された選択信号１２に応じて、２つの分周器モジュール２０ａ、２０ｂ何れかが選択される。これらの分周比に関しては、これらが、少なくとも数個のほぼ等しい動作クロックを提供するように構成される。同じ動作クロックを提供する分周器モジュール２０ａ、２０ｂの出力は互いに接続され、クロック発生ユニット２の出力から回収されて良い。それ故、クロック発生ユニット２の少なくとも数個の出力上で、入力された基準周波数と無関係に、同じ動作クロックが提供される。図２に示した実施形態の例では、分周器モジュール２０ａは、１３ＭＨｚの動作クロック用に構成され、例えば、分周比５／３、３／２、３／３、および、１／２を有すると想定されている。対照的に、分周器モジュール２０ｂは、分周比３／３、２／３、１／３、および、３／２を有し、約１９．５ＭＨｚの動作クロック用に構成され、従って、３つのほぼ同じクロック周波数が、その２つの分周器モジュール２０ａ、２０ｂによって提供される。クロック発生ユニット２によって提供された動作クロックは、図１と対照的に、３つのサブレジスタ６ａ、６ｂ、６ｃのみを有する選択レジスタ６に送られる。なされた選択と無関係に、クロック発生ユニット２の少なくとも数個の出力上に同じ動作クロックが提供されるので、図２の実施形態の例では、選択素子１４は絶対的には必要でない。
【００４４】
次に、図３を参照して、通信装置、例えば、移動無線システムの移動体における主要な構成要素の動作を簡単に説明する。この移動体は、アンテナ２６によって大気に対するインタフェースを構成する高周波ユニット２４を備える。高周波ユニット２４は、基準クロックｆＲの供給を受け、且つ双頭矢印３０によって表されているようにマイクロチップ２８に接続されている。その接続は、高周波ユニット２４のアナログ信号を、マイクロチップ２８のためのデジタル信号に変換し、また、その逆も行うＤ／Ａ変換器によってなされている。マイクロチップ２８上に一体化されているのは、スイッチ装置として構成された、所謂、ベースバンド回路である。それは、システム制御プロセッサ３２およびベースバンドプロセッサ３４に適当な動作クロックを供給するクロック発生ユニット２を中央素子として有する。ベースバンドプロセッサ３４は、例えば、会話処理を担い、一方、システム制御プロセッサ３２は、移動体の内部手順を制御する。
【００４５】
クロック発生ユニット２は、特別な動作クロック、所謂、基本単位クロックをタイムベースユニット３６に送る。ＧＳＭシステム用では、タイムベースユニット３６は、４．３３ＭＨｚの周波数を有する動作クロックの供給を受ける。タイムベースユニット３６は、各移動無線システムの正確に定義された時間フレームを提供する。この時間フレームは、複数の基本単位に副分割され、これらは、タイムベースユニット３６によって、基本単位クロックの形で、２つのプロセッサ３２、３４に転送される。
【００４６】
クロック発生ユニット２は、その入力１０で以って、基準クロックｆＲ用のクロック発生器３５ａに接続され、また、その更なる入力端子２３で以って、基準スタートクロックｆＡ用のクロック発生器３５ｂに接続されている。特定の基準クロックｆＲの選択が、これによって選択信号１２がクロック発生ユニット２に転送されるマイクロチップ２８上の接続ピン１７によってなされる。
【００４７】
好ましくは、プログラム可能なクロック発生ユニット２のプログラム工程もまた接続ピン１６によって実行される。例えば、タイムベースユニット３６用に提供される基本単位クロックが、各プログラム指示によって調整される。異なる基準クロックｆＲ用に構成されたクロック発生ユニット２は、本質的に、それが、異なる移動無線システム用の既存のベースバンド回路と、簡単なやり方で一体化できるという利点を有している。ベースバンドスイッチ回路の他の構成要素をクロック発生ユニット２に適合させる必要は無い。何故なら、このユニットが、基準クロックｆＲとは無関係に、適当な動作クロックを提供するからである。
【００４８】
内部機能手順を制御するために、システム制御プロセッサ３２は、特に電力管理ユニット４０に接続される。実際の動作要求に基づいて、システム制御プロセッサ３２は、どの構成要素のためにどの動作クロックが選択されるかを設定する。
この情報は、電力管理ユニット４０によってクロック発生ユニット２に送られ、クロック発生ユニット２は、その時、夫々の動作クロックを更なる構成要素に送達する。これは、例えば、図１および図２に示した選択レジスタ６によって行われる。同時に、高周波ユニット２４、基準クロックｆＲ用のクロック発生器３５ａ、並びに、マン−マシンインタフェース４２が、電力管理ユニット４０によって、適当な動作モード、例えば、スタンバイモードに切り換えられる。内部機能手順を制御するために、マイクロチップ２８上に一体化されたベースバンド回路は、好ましくは、データメモリ４４に記憶された情報に頼る。
【図面の簡単な説明】
【図１】  位相同期ループを有するクロック発生ユニットのブロック図。
【図２】  別のクロック発生ユニットのブロック図。
【図３】  移動無線システム装置のブロック図。
【図１】
0004780258.tif 000003
【図２】
0004780258.tif 000004
【図３】
0004780258.tif 000005